(57)【特許請求の範囲】
【請求項１】
複数列の可変表示部のそれぞれで複数の識別情報を可変表示する可変表示装置と、該可変表示装置を制御する制御手段と、を備え、前記複数列の可変表示部における識別情報の組合せ表示結果が予め定めた特定表示結果となったときに特定遊技状態を発生する弾球遊技機において、
前記制御手段は、
前記特定表示結果のうち予め定めた特別表示結果が導出されると前記特定遊技状態とは異なり且つ遊技者にとって有利な特別遊技状態を発生する特別遊技発生手段と、
前記複数列の可変表示部のうち少なくとも２列以上の識別情報の組合せを配列させた同期配列パターンを用いて前記特定表示結果となり得る状態で同期的にリーチ変動する同期変動リーチ制御手段と、を備え、
前記同期変動リーチ制御手段によって同期変動する前記複数列の可変表示部のうち少なくとも２列以上の識別情報の組合せを配列させた複数種類の前記同期配列パターンを、それぞれ前記特別表示結果が導出される表示上の確率を異ならせて設定したことを特徴とする弾球遊技機。
【請求項２】
前記同期変動リーチ制御手段は、同期変動中に前記複数種類の同期配列パターンの種類を変更制御することを特徴とする請求項１記載の弾球遊技機。
【請求項３】
前記複数種類の同期配列パターンは、それぞれ前記特定表示結果を導出し得る表示上の確率を異ならせたことを特徴とする請求項１又は請求項２記載の弾球遊技機。
【請求項４】
前記複数種類の同期配列パターンは、前記特定表示結果を導出し得る表示上の確率が高い順に前記特別表示結果を導出し得る表示上の確率を低く設定したことを特徴とする請求項３記載の弾球遊技機。
【発明の詳細な説明】
【０００１】
【発明の属する技術分野】
本発明は、複数列の可変表示部のそれぞれで複数の識別情報を可変表示する可変表示装置と、該可変表示装置を制御する制御手段と、を備え、前記複数列の可変表示部における識別情報の組合せ表示結果が予め定めた特定表示結果となったときに特定遊技状態を発生する弾球遊技機に関するものである。
【０００２】
【従来の技術】
従来、一般に、弾球遊技機としてのパチンコ遊技機に設けられる可変表示装置は、複数列の可変表示部で図柄（識別情報）を可変表示するようになっていた。そして、始動入賞口への打玉の入賞に伴って各可変表示部の変動を許容し、各可変表示部に停止表示される図柄の組合せが同一図柄にて揃った大当り図柄（特定表示結果）となったときに特定遊技状態を発生するようになっていた。また、このような可変表示装置では、最終停止図柄の変動が終了する前に大当り図柄となり得るリーチの場合、通常の図柄変動とは異なるリーチ変動を行うことで遊技の興趣を向上していた。なお、リーチ変動には、各図柄列に図柄を揃えた状態で同期的に変動を行うもの（これを俗に同期変動リーチという）が提案されていた。
【０００３】
【発明が解決しようとする課題】
ところが、上記従来の同期変動リーチは、全列の可変表示部に同一図柄を揃えた状態（大当り図柄）での変動態様しか設定しておらず、然も全図柄が揃う同期配列は１通りしか設定していなかった。本発明は、上記した事情に鑑みなされたもので、その目的とするところは、図柄の同期配列乃至同期変動する可変表示部の組合せを複数種類設定することで同期変動リーチを多様化し得る可変表示装置を備えた弾球遊技機を提供することにある。
【０００４】
【課題を解決するための手段】
【０００５】
【０００６】
本発明の請求項１記載の構成においては、制御手段は、特定表示結果のうち予め定めた特別表示結果が導出されると前記遊技状態とは異なり且つ遊技者にとって有利な特別遊技状態を発生する特別遊技発生手段と、前記複数列の可変表示部のうち少なくとも２列以上の識別情報の組合せを配列させた同期配列パターンを用いて前記特定表示結果となり得る状態で同期的にリーチ変動する同期変動リーチ制御手段と、を備え、前記同期変動リーチ制御手段によって同期変動する前記複数列の可変表示部のうち少なくとも２列以上の識別情報の組合せを配列させた複数種類の前記同期配列パターンを、それぞれ前記特別表示結果が導出される表示上の確率を異ならせて設定したので、同期変動リーチの多様化を招来することができ、ひいては遊技の興趣向上が可能になる。
【０００７】
また、上記請求項１記載の同期変動リーチ制御手段の制御によって同期変動中に前記複数種類の同期配列パターンの種類を変更する構成とした場合には、同期変動リーチの多様化をより一層招来することができる。
【０００８】
また、前記複数種類の同期配列パターンにおいては、それぞれ前記特定表示結果を導出し得る表示上の確率を異ならせたり、あるいは前記特定表示結果のうち予め定めた特別表示結果が導出されると前記特定遊技状態とは異なり且つ遊技者にとって有利な特別遊技状態を発生し得る特別遊技発生手段を備え、前記特別表示結果を導出し得る表示上の確率を異ならせることで、表示上の期待感を異ならせて遊技性の向上が招来できる。
【０００９】
また、上記した複数種類の同期配列パターンにおいて、前記特定表示結果を導出し得る表示上の確率が高い順に前記特別表示結果を導出し得る表示上の確率を低く設定した場合には、同期配列の種類毎に遊技性の特徴を持たせることができる。
【００１０】
なお、図１に示す特別可変表示装置３０により、複数列の可変表示部（特別図柄表示部３３ａ〜３３ｃ）のそれぞれで複数の識別情報（特別図柄）を可変表示する可変表示装置の一例を構成し、前記複数列の可変表示部における識別情報の組合せ表示結果が予め定めた特定表示結果（大当り図柄）となったときに特定遊技状態を発生する本発明の一例を構成している。
【００１１】
また、図１２乃至図１４に示す各種リーチ２〜８の変動制御により、前記複数列の可変表示部のうち少なくとも２列以上の識別情報の組合せを配列させた同期配列パターンを用いて前記特定表示結果となり得る状態で同期的にリーチ変動する同期変動する本発明の同期変動リーチ制御手段の一例を構成している。
【００１２】
【００１３】
【００１４】
また、図７及び図８に示す同期配列により、前記同期変動リーチ制御手段によって同期変動する前記複数列の可変表示部のうち少なくとも２列以上の識別情報の組合せを配列させた複数種類の前記同期配列パターンを、それぞれ前記特別表示結果が導出される表示上の確率を異ならせて設定した構成の一例を示している。
【００１５】
また、図１４に示すリーチ８の変動制御により、同期変動中に前記複数種類の同期配列パターンの種類を変更制御する前記同期変動リーチ制御手段による制御の一例を示している。
【００１６】
また、図７及び図８に示す各同期ポジションＡ・Ｂにより、それぞれ前記特定表示結果を導出し得る表示上の確率（９／１５と５／１５）を異ならせた前記複数種類の同期配列パターンの構成の一例を示している。
【００１７】
また、図１５に示す確率変動の制御動作により、前記特定表示結果のうち予め定めた特別表示結果（確変図柄）が導出されると前記特定遊技状態とは異なり且つ遊技者にとって有利な特別遊技状態（確変制御）を発生する本発明の特別遊技発生手段の一例を構成している。
【００１８】
また、図７に示す同期ポジションＡ内の確変図柄と図８に示す同期ポジションＢ内の確変図柄とにより、それぞれ前記特別表示結果を導出し得る表示上の確率（２／１５と３／１５）を異ならせた前記複数種類の同期配列パターンの構成の一例を示している。
【００１９】
また、図７及び図８に示す同期配列パターンにより、前記特定表示結果を導出し得る表示上の確率が高い順に前記特別表示結果を導出し得る表示上の確率を低く設定した前記複数種類の同期配列パターンの構成の一例を示している。
【００２０】
【発明の実施の形態】
以下、図面を参照して本発明の実施形態について説明する。先ず、図１を参照して実施形態に係る弾球遊技機（図示ではパチンコ遊技機）の遊技盤１の構成について説明する。図１は、遊技盤１を示す正面図である。図１において、遊技盤１の表面には、発射された打玉を誘導するための誘導レール２がほぼ円状に植立され、該誘導レール２で区画された領域が遊技領域３を構成している。遊技領域３のほぼ中央には、左・中・右の各特別図柄表示部３３ａ〜３３ｃで識別情報（以下、特別図柄という）の可変表示（以下、変動ともいう）を可能にする特別可変表示装置３０が配置されている。なお、特別可変表示装置３０の詳細な構成については後に詳述するものである。
【００２１】
特別可変表示装置３０の下方には、普通可変入賞球装置５及び特別可変入賞球装置９等の各種構成部材を遊技盤１に取り付けるための取付基板４が設けられている。取付基板４の中央上端部には、特別図柄の変動を許容する始動機能を有する普通可変入賞球装置５が配置されている。この普通可変入賞球装置５は、ソレノイド６によって垂直（通常開放）位置と傾動（拡大開放）位置との間で可動制御される一対の可動翼片７ａ・７ｂを有して、いわゆるチューリップ型役物として構成され、その普通可変入賞球装置５には入賞した打玉を検出する始動玉検出器８が設けられている。なお、可動翼片７ａ・７ｂが垂直（通常開放）位置のときも普通可変入賞球装置５に入賞可能になっている。また、普通可変入賞球装置５への入賞に基づく特別図柄の変動は、変動中を除いて所定回数（本実施形態では、４回）記憶され、その旨が後述の特別図柄記憶表示ＬＥＤ３６によって表示されるようになっている。
【００２２】
前記取付基板４の中央部には、ソレノイド１０によって入賞領域を開閉制御する開閉板１１を備えた特別可変入賞球装置９が配置されている。特別可変入賞球装置９の入賞領域内の左端部には、入賞玉の検出により開閉板１１を再度開成（後述する継続権の成立）させることができる特定玉検出器１２が配置されている。また、入賞領域内のほぼ中央部には、入賞玉数を検出するために入賞玉検出器１３も設けられている。特別可変入賞球装置９の下方には、遊技盤１の前方側に突出した突出部材１４が設けられている。なお、取付基板４の左右両端部には、それぞれ飾りＬＥＤ１５を備えた入賞口１６が設けられており、また、特別可変入賞球装置９の入賞領域内壁には、継続権の成立を報知する特定玉入賞表示ＬＥＤ１７が設けられている。
【００２３】
しかして、上記のように構成される特別可変入賞球装置９は、以下のように作動する。即ち、打玉が普通可変入賞球装置５に入賞して始動玉検出器８をＯＮさせると、特別可変表示装置３０が変動を開始し、一定時間が経過すると、例えば左・中・右の順で特別図柄が確定され、その確定された図柄の組み合せが所定の大当り組合せ（同一図形のゾロ目）となったときに特定遊技状態となる。そして、この特定遊技状態においては、特別可変入賞球装置９の開閉板１１が所定期間（例えば、２９．５秒）あるいは所定個数（例えば、１０個）の入賞玉が発生するまで開放（開放サイクル）するように設定され、その開放している間遊技盤１の表面を落下する打玉を受け止めるようになっている。そして、受け止められた打玉が特定玉検出器１２をＯＮすると、再度上記した開放サイクルを繰り返し、特定玉検出器１２がＯＮする毎に継続権が成立して開放サイクルを最高１６回繰り返すことができるようになっている。
【００２４】
なお、本発明の特定遊技状態は、上記に限らず以下に示す（１）〜（５）の制御のうちいずれか１つの制御又は組合せた制御を実行する状態であればよい。
（１）  打玉の入賞を容易にする第一の状態と、打玉が入賞できない又は入賞し難い第二の状態と、に変化可能な可変入賞球装置に対して所定時間連続的又は間欠的に第一の状態にする制御
（２）  特定の入賞又は通過領域での打玉の検出を介在させ、打玉の入賞を容易にする第一の状態と、打玉が入賞できない又は入賞し難い第二の状態と、に変化可能な可変入賞球装置に対して所定時間連続的又は間欠的に第一の状態にする制御
（３）  打玉の入賞に関わらず所定数の景品玉を直接排出する制御
（４）  有価価値を有する記憶媒体（カードやレシート等）に対して有価数を加算する制御
（５）  得点があることに基づいて遊技可能な弾球遊技機に対して得点を付与する制御。
【００２５】
また、特別可変表示装置３０の左側方には、通過口１８ａが形成されてなる通過部材１８が配置されている。通過口１８ａは、その上端開口から受け入れた打玉を前記普通可変入賞球装置５側に誘導放出する通路形状をなしており、その通路途中には通過玉検出器１９が設けられている。該通過玉検出器１９は、通過玉を検出すると後述する普通図柄表示器３４に表示される普通図柄の変動を許容するようになっている。なお、普通図柄表示器３４は、普通図柄が当り図柄となったときに、普通可変入賞球装置５の可動翼片７ａ・７ｂを所定時間が経過するまで開放制御するものであるが、後で詳述する確率変動（大当り判定確率を通常時と異なる確率に変更した遊技状態）が生じたときには、開放時間が長くなるように設定されている。また、普通図柄の変動は、変動中を除いて所定回数（本実施形態では、４回）記憶され、その旨が後述する普通図柄記憶表示ＬＥＤ３５によって表示されるようになっており、その変動時間は、確率変動（以下、確変ともいう）時では通常時に比べて短縮されるようになっている。なお、普通図柄の変動記憶は常に一定（例えば、４回）に設定する必要はなく、例えば通常時では１回にする一方で、確変中では４回にすることも可能である。
【００２６】
また、遊技領域３を含む遊技盤１の表面には、上記した構成以外にも、飾りランプ２０、風車ランプ２１ａを内蔵した風車２１、袖ランプ２２ａを内蔵した入賞口２２、サイドランプ２３ａを内蔵したサイドランプ飾り２３、アウト口２４、バック玉防止部材２５等が設けられている。また、パチンコ弾球遊技機には、特定遊技状態時あるいは変動時に点灯又は点滅してその旨を報知する遊技効果ランプ及び遊技効果ＬＥＤが設けられると共に効果音を発生するスピーカ２６（図３に符号のみ記載）が設けられている。
【００２７】
次に、本実施形態の要部を構成する特別可変表示装置３０の構成について説明する。特別可変表示装置３０は、前記遊技盤１の表面に取り付けられる取付基板３１を有し、該取付基板３１には、長方形状の窓枠部３２が形成されている。そして、この窓枠部３２の後方には、左・中・右の各特別図柄を個々に可変表示し得る特別図柄表示部３３ａ〜３３ｃを有するＬＣＤ表示器３３が臨設されている。窓枠部３２の上方には、普通図柄表示器３４、普通図柄記憶表示ＬＥＤ３５、特別図柄記憶表示ＬＥＤ３６、及び飾りＬＥＤ３７が設けられ、窓枠部３２の左右側方には、それぞれ各飾りＬＥＤ３８・３９が設けられている。一方、窓枠部３２の下方には、各飾りＬＥＤ４０・４１が設けられている。また、上記特別図柄表示部３３ａ・３３ｃに表示される左右の各図柄は、図４に示すように、それぞれ「０〜９・Ｆ・Ｘ・Ｇ・Ｐ・Ｒ」順の１５種類から構成されており、特別図柄表示部３３ｂに表示される中図柄は、「０〜８・Ｆ・Ｘ・Ｇ・Ｐ・Ｒ・９」順の１５種類から構成されている。これら左・中・右の各図柄には、ＷＣＲＮＤ＿Ｌ・Ｃ・Ｒの各ランダム数が対応して設けられている。大当り図柄の組合せは、左・中・右の各図柄が同一図柄にて揃った組合せであり、この組合せはＷＣＲＮＤ＿Ｌの抽出値に基づいて決定される。なお、この大当り図柄のうち「３」「７」「Ｆ」「Ｇ」「Ｒ」のいずれかで揃った大当り図柄（以下、これを確変図柄という）は、前述した特定遊技状態の発生に加えて特別遊技状態としての確変制御を発生するようになっている。
【００２８】
以上、特別可変表示装置３０を含むパチンコ遊技機の遊技盤１の構成について説明してきたが、それらの遊技装置は、図２及び図３に示す遊技制御回路によって制御される。図２及び図３は、遊技制御回路をブロック構成で示す回路図であり、ＭＰＵ、ＲＯＭ、ＲＡＭ、入出力回路を含む基本回路４２によって制御されている。しかして、基本回路４２は、入力回路４３を介して始動玉検出器８、特定玉検出器１２、入賞玉検出器１３、及び通過玉検出器１９からの検出信号が入力され、アドレスデコード回路４４から基本回路４２にチップセレクト信号が与えられる。また、電源投入時に初期リセット回路４５から基本回路４２にリセット信号が与えられ、所定時間毎に定期リセット回路４６から基本回路４２に定期リセット信号が与えられる。
【００２９】
一方、基本回路４２からは、以下の装置及び回路に制御信号が与えられる。即ち、ＬＣＤ回路４７を介してＬＣＤ表示器３３（図２中には、ＬＣＤ表示装置と記載）に表示制御信号が与えられ、ＬＥＤ回路４８を介して普通図柄表示器３４、特別図柄記憶表示ＬＥＤ３６、普通図柄記憶表示ＬＥＤ３５、特定玉入賞表示ＬＥＤ１７、及び各飾りＬＥＤ１５・３７〜４１に表示駆動信号が与えられ、ソレノイド回路４９を介して各ソレノイド６・１０に駆動信号が与えられ、ランプ回路５０を介して風車ランプ２１ａ、袖ランプ２２ａ、及びサイドランプ２３ａに表示制御信号が与えられ、音声合成回路５１及び音量増幅回路５２を介してスピーカ２６に音声信号が与えられる。なお、ランプ回路５０からは各種のランプ制御データが出力されることで、上記した構成部材以外のランプを表示制御するようになっている。さらに、基本回路４２は、情報出力回路５３を介して外部（ホールコンピュータや呼び出しランプ等）に情報コモン、有効始動情報、大当り情報、及び時短変動情報を出力し、また、賞球個数信号出力回路５４を介して外部に各種の賞球個数信号を出力している。なお、上記した装置や回路には、電源回路５５から各種の電圧を有する電力が供給されている。
【００３０】
次に、前記特別可変表示装置３０による特別図柄の変動制御について図５乃至図１４に示すタイムチャート及び説明図等を参照して説明する。先ず、特別可変表示装置３０の変動動作に用いられるランダム数について説明する。特別可変表示装置３０では、図５（Ａ）に示すような５種類のランダム数が使用されており、これらのランダム数は、大当り決定用のＷＣＲＮＤ１と、左図柄表示用であり且つ大当り表示用のＷＣＲＮＤ＿Ｌと、中図柄表示用のＷＣＲＮＤ＿Ｃと、右図柄表示用のＷＣＲＮＤ＿Ｒと、リーチ動作指定用のＷＣＲＮＤ＿ＡＣＴと、から構成されている。ＷＣＲＮＤ１は、「０〜２２４」の２２５通りの数値が０．００２秒毎に１ずつ加算されることで刻々と変化するものであり、ＷＣＲＮＤ＿Ｌは、「０〜１４」の１５通りの数値が０．００２秒毎に１ずつ加算されることで刻々と変化するものであり、ＷＣＲＮＤ＿Ｃは、「０〜１４」の１５通りの数値が割り込み処理の余り時間に１ずつ加算されることで刻々と変化するものであり、ＷＣＲＮＤ＿Ｒは、「０〜１４」の１５通りの数値がＷＣＲＮＤ＿Ｃの桁上げ時に１ずつ加算されることで刻々と変化するものであり、ＷＣＲＮＤ＿ＡＣＴは、「１〜１００」の１００通りの数値が割り込み処理の余り時間に１ずつ加算されることで刻々と変化するものである。
【００３１】
そして、図５（Ｂ）に示すように、ＷＣＲＮＤ１から抽出された値が「３」であり大当りと判定されると、ＷＣＲＮＤ＿Ｌ（０〜１４）のデータにより大当りとなる図柄が決定され、この大当り図柄が特別可変表示装置３０の各特別図柄表示部３３ａ〜３３ｃに表示される。一方、ＷＣＲＮＤ１で「３」以外の値が抽出されて外れと判定されると、ＷＣＲＮＤ＿Ｌ・Ｃ・Ｒからの各抽出値に対応する図柄が外れ図柄として特別可変表示装置３０の各特別図柄表示部３３ａ〜３３ｃに表示される。なお、ＷＣＲＮＤ＿Ｌ・Ｃ・Ｒからの各抽出値が偶然にも大当り図柄と一致した場合には、ＷＣＲＮＤ＿Ｒのデータに「１」を加算して外れ図柄にして表示するものである。また、確率変動時（高確率時）には、ＷＣＲＮＤ１内の「０〜４」の各値が大当り決定用のランダム数となっている。
【００３２】
具体的な特別図柄の変動動作を説明する前に、先ず、特別図柄のリーチ変動種類について図６を参照して説明する。リーチ変動はリーチ１〜８の８種類からなり、これら各リーチ１〜８を構成する変動態様は、図６（Ａ）〜（Ｄ）に示す４種類からなる。具体的に４種類の変動態様とは、左中の各図柄が同一図柄で停止表示された状態で右図柄のみが低速変動する変動態様ａ（図６（Ａ）参照）と、左図柄のみが停止表示された状態で中右の各図柄が同一図柄にて揃って低速変動（以下、この同一図柄で揃った変動を同期変動という）する変動態様ｂ（図６（Ｂ）参照）と、左中の各図柄が低速で同期変動する一方で右図柄が高速変動する変動態様ｃ（図６（Ｃ）参照）と、左中右の全図柄が低速で同期変動する変動態様ｄ（図６（Ｄ）参照）である。そして、リーチ１は変動態様ａから構成され、リーチ２は変動態様ｂから構成され、リーチ３は各変動態様ｂ・ｄから構成され、リーチ４は変動態様ｃから構成され、リーチ５は各変動態様ｃ・ｂから構成され、リーチ６は各変動態様ｃ・ｄから構成され、リーチ７・８は変動態様ｄから構成されている。
【００３３】
なお、上記した変動態様ｄで全図柄が同期する配列は、図７に示す同期配列と図８に示す同期配列との２種類がある。図７の同期配列は「０〜８」の数字図柄が揃った同期ポジションＡを有し、図８の同期配列は「Ｆ・Ｘ・Ｇ・Ｐ・Ｒ」の英文字図柄が揃った同期ポジションＢを有している。また、各種リーチ１〜８の選択は、図９の一覧表図に基づく当り外れ毎のＷＣＲＮＤ＿ＡＣＴの抽出値によって行われるものであるが、ハズレ時の選択設定は、表示結果として左中の各図柄が揃う場合（左図柄＝中図柄時）と中右の各図柄が揃う場合（中図柄＝右図柄時）と左右の各図柄が揃う場合（左図柄＝右図柄時）とに分けて設定している。具体的には、ハズレ時に左中の各図柄が揃った外れ図柄を導出するリーチ１・４が左図柄＝中図柄時でのＷＣＲＮＤ＿ＡＣＴの抽出となり、ハズレ時に中右の各図柄が揃った外れ図柄を導出するリーチ２・５が中図柄＝右図柄時でのＷＣＲＮＤ＿ＡＣＴの抽出となり、ハズレ時に左右の各図柄が揃った外れ図柄を導出するリーチ３・６〜８が左図柄＝右図柄時でのＷＣＲＮＤ＿ＡＣＴの抽出となる。
【００３４】
特別図柄の具体的な変動動作は図１１乃至図１４のタイムチャートに示すようになっている。なお、左・中・右の各図柄の変動は、図１０（Ａ）の一覧表図に示すパターンに基づいて行われる。変動パターンＡは、一定の速度で変動（２０ｍｓに１図柄変動）するパターンであり、変動パターンＢは、除々に減速して停止するパターンであり、変動パターンＣは、除々に減速するパターンであり、変動パターンＤは、低速の一定速度で変動（３００ｍｓに１図柄変動、１周期が４．５秒）するパターンであり、変動パターンＥは、指定の同期ポジションに図柄をセットするように変動するパターンである。また、図１１乃至図１４の各タイムチャート中に記載の※１〜４は、図１０（Ｂ）の一覧表図に示すものである。
【００３５】
先ず、リーチ以外及びリーチ１の変動動作を図１１を参照して説明する。図１１において、普通可変入賞球装置５に打玉が入賞し始動玉検出器８が始動信号を導出すると、その始動信号の立ち上がり時に、ＷＣＲＮＤ１から数値を抽出してこれを格納する。その後、始動信号の立ち上がりより０．００２秒後には、ＷＣＲＮＤ＿Ｌ・Ｃ・Ｒから数値を抽出すると共に、格納したＷＣＲＮＤ１の読み出し及び判定を行う。また、このとき、リーチとなる場合は、ＷＣＲＮＤ＿ＡＣＴから数値を抽出する。なお、上記した各種ランダム数の抽出乃至読み出し判定は、後述するリーチ２〜８についても同様のタイミングで行うため、以下の説明では便宜上その説明を省略するものである。そして、始動信号の立ち上がりより０．００４秒後に、左・中・右の全図柄を変動パターンＡにて変動させる。その後、左図柄は、６．０秒間変動パターンＡにて変動された後、０．５秒間変動パターンＢにて変動されて停止表示される。中図柄は、６．５秒間変動パターンＡにて変動された後、０．５秒間変動パターンＢにて変動されて停止表示される。また、最終停止図柄である右図柄は、リーチ以外のとき、７．０秒間変動パターンＡにて変動された後、０．５秒間変動パターンＢにて変動されて停止表示される。一方、リーチ１での右図柄は、変動パターンＡでの７．０秒間の変動の後に、０．４秒間の変動パターンＣ及び１．５〜６．０秒間の変動パターンＤにて変動され、その後１．２秒間変動パターンＢにて変動されて停止表示される。
【００３６】
次に、中右の各図柄が同期変動するリーチ２・３の変動動作を図１２を参照して説明する。図１２において、始動信号の立ち上がりより０．００４秒後に、左・中・右の全図柄を変動パターンＡにて変動させる。その後、左図柄は、６．５秒間変動パターンＡにて変動された後、０．５秒間変動パターンＢにて変動されて停止表示される。一方、リーチ２で同期する中右の各図柄は、それぞれ変動パターンＡでの７．０秒間の変動の後に、０．４秒間の変動パターンＣ及び１．５〜６．０秒間の変動パターンＤにて変動され、その後１．２秒間変動パターンＢにて変動されて停止表示される。また、リーチ３で同期する中右の各図柄は、それぞれ変動パターンＡでの７．０秒間の変動の後に、０．４秒間の変動パターンＣ及び１２．０〜１６．５秒間の変動パターンＤにて変動され、その後１．２秒間変動パターンＢにて変動されて停止表示される。なお、このリーチ３では、中右の各図柄が同期して変動パターンＤ（変動態様ｂ）で変動される間に左図柄が再変動される（図１２中に※２で記載）。そして、この左図柄は、１．２秒間の変動パターンＥによって変動中の中右の各図柄に同期ポジションがセットされ、変動態様ｄになるべく中右の各図柄と同期して１．５〜６．０秒間の変動パターンＤ及び１．２秒間の変動パターンＢにて変動されて停止表示される。
【００３７】
次に、左中の各図柄が同期変動する一方で右図柄が高速変動するリーチ４〜６の変動動作を図１３を参照して説明する。図１３において、始動信号の立ち上がりより０．００４秒後に、左・中・右の全図柄を変動パターンＡにて変動させる。その後、リーチ４で同期する左中の各図柄は、それぞれ変動パターンＡでの７．０秒間の変動の後に、０．４秒間の変動パターンＣ及び１．５〜６．０秒間の変動パターンＤにて変動され、その後１．２秒間変動パターンＢにて変動されて停止表示される。一方、リーチ４での右図柄は、１２．０〜１６．５秒間変動パターンＡにて変動された後、１．２秒間変動パターンＢにて変動されて停止表示される。また、リーチ５で同期する左中の各図柄は、それぞれ変動パターンＡでの７．０秒間の変動の後に０．４秒間の変動パターンＣにて変動される（変動態様ｃ）。その後、左図柄は、１．５〜６．０秒間の変動パターンＤにて変動された後に１．２秒間変動パターンＢにて変動されて停止表示され、中図柄は、変動パターンＤでの変動が継続して行われる（図１３中には※３で記載）。一方、リーチ５での右図柄は、１２．０〜１６．５秒間変動パターンＡにて変動された後、１．２秒間の変動パターンＥによって変動中の中図柄に同期ポジションがセットされ、変動態様ｂになるべく中図柄と同期して４．５〜９．０秒間の変動パターンＤ及び１．２秒間の変動パターンＢにて変動されて停止表示される。また、リーチ６で同期する左中の各図柄は、それぞれ変動パターンＡでの７．０秒間の変動の後に０．４秒間の変動パターンＣにて変動され、その後変動パターンＤでの変動が継続して行われる（図１３中には※４で記載）。一方、リーチ６での右図柄は、１２．０〜１６．５秒間変動パターンＡにて変動された後、１．２秒間の変動パターンＥによって変動中の左中の各図柄に同期ポジションがセットされ、変動態様ｄになるべく左中の各図柄と同期して１２．０〜１６．５秒間の変動パターンＤ及び１．２秒間の変動パターンＢにて変動されて停止表示される。
【００３８】
次に、全図柄が同期変動するリーチ７・８の変動動作を図１４を参照して説明する。図１４において、始動信号の立ち上がりより０．００４秒後に、左・中・右の全図柄を変動パターンＡにて変動させる。その後、リーチ７で同期する左・中・右の全図柄は、それぞれ変動パターンＡでの７．０秒間の変動の後に、０．４秒間の変動パターンＣ及び１．５〜６．０秒間の変動パターンＤにて変動され、その後１．２秒間変動パターンＢにて変動されて停止表示される。また、リーチ８で同期する左・中・右の全図柄は、それぞれ変動パターンＡでの７．０秒間の変動の後に、０．４秒間の変動パターンＣ及び１．５〜６．０秒間の変動パターンＤにて変動される。その後、１．２秒間の変動パターンＥによって中図柄が＋１もしくは−１されて同期ポジションが変更され（同期ポジションＡからＢ、あるいは同期ポジションＢからＡ）、４．５〜９．０秒間の変動パターンＤ及び１．２秒間の変動パターンＢにて変動されて停止表示される。
【００３９】
ところで、上記した各リーチ３・６〜８での変動態様ｄにおいて、セットされる同期ポジションは表示結果に対応して設定されるものである。例えば、表示結果が「８・８・８」の大当り図柄となるリーチ８では、先ず「８・８・８」を配列しない同期ポジションＢがセットされ、その後ポジション変更によって「８・８・８」を配列した同期ポジションＡがセットされる。また、表示結果が外れ図柄となる変動態様ｄ、言い換えればＷＣＲＮＤ＿Ｌ＝ＷＣＲＮＤ＿Ｒに伴って全図柄の同期変動リーチが行われる場合には、左右の図柄を優先して強制的に前記図７又は図８の配列上にある外れ図柄を導出するようになっている。例えば、ＷＣＲＮＤ＿Ｌ・Ｃ・Ｒの各抽出値によって「８・５・８」の外れ図柄を決定した場合には、同期ポジションＢをセットした状態で同期変動を行い、その後「８・７・８」の外れ図柄を表示結果として導出するものである。
【００４０】
次に、特別可変表示装置３０の確変図柄の導出に伴う確変制御について図１５を参照して説明する。図１５において、特別可変表示装置３０（図１５中には、条件装置と記載）の各特別図柄表示部３３ａ〜３３ｃに「３・３・３」「７・７・７」「Ｆ・Ｆ・Ｆ」「Ｇ・Ｇ・Ｇ」「Ｒ・Ｒ・Ｒ」のいずれかの確変図柄が導出される、言い換えるとＷＣＲＮＤ＿Ｌが「３・７・１０・１２・１４」のいずれかで大当りした場合には、これに基づいて確変制御が実行される。確率変動の具体的な制御は、確変図柄による特定遊技状態（条件装置の作動）の終了を契機に当り確率を高確率に変動させ、その後、次の特定遊技状態が発生すると、これを契機に当り確率を通常確率に戻す。そして、このような特定遊技状態の終了及び発生を契機とした当り確率の変動を再度繰り返すことで合計２回の確変制御を行う。なお、確率変動中に更に確変図柄で大当りした場合（※５）には、前記図１０（Ｂ）の一覧表図に示すように、その大当り以後２回の確変制御が行われるものである。また、このような確変制御は、特別図柄と同様に後で詳述する普通図柄に対しても行われるものである。
【００４１】
次に、特別可変表示装置３０の変動終了後の動作について図１６及び図１７を参照して説明する。先ず、変動の結果、大当り図柄の組合せとなった場合では、図１６に示すように、最終停止図柄（図１６及び図１７中には右図柄と記載）の変動停止から０．８００秒後に大当りの確認判定が行われる。そして、その所定時間（１１．８００秒）後に特別可変入賞球装置９の開閉板１１（図１６及び図１７中には可変入賞球装置と記載）を開放すべくソレノイド１０が所定時間（２９．５００秒）ＯＮされる。開閉板１１の開放終了後の所定時間（２．０００秒）は、役物連続作動装置作動有効時間として設定され、その時間内に特定玉検出器１２がＯＮすれば、継続権が成立するように制御される。その後、特別可変入賞球装置９開放動作を終了する時点で特別図柄の始動記憶がある場合には、図１７（Ａ）に示すように、特別可変入賞球装置９の閉鎖から１３．００４秒後に図柄変動が開始される。なお、この場合、特別可変入賞球装置９の閉鎖から１３．００２秒後に、格納したＷＣＲＮＤ１の読み出し及び判定を行う。一方、変動の結果が外れ図柄の組合せとなった後に特別図柄の始動記憶がある場合では、図１７（Ｂ）に示すように、右図柄の変動が停止して０．８０４秒が経過すると、図柄変動が開始される。なお、この場合、右図柄の変動停止から０．８００秒後に、ハズレの確認判定が行われ、その確認判定から０．００２秒後に格納したＷＣＲＮＤ１の読み出し及び判定を行う。
【００４２】
次に、前記普通図柄表示器３４に表示される普通図柄について説明する。普通図柄は、図１８（Ａ）（Ｂ）に示すように、「Ａ・ｂ・Ｃ・ｄ・Ｌ・７」の６種類であり、これらの普通図柄に対しては、０．００２秒毎に１ずつ加算される当り決定用のＷＣ＿ＲＮＤ２（３〜１３）と、０．００２秒毎に１ずつ加算され且つ割り込み処理余り時間に１ずつ加算される普通図柄表示用のＷＣ＿ＲＮＤ＿Ｆ（０〜５）と、が設けられている。ＷＣ＿ＲＮＤ＿Ｆ（０〜５）の各ランダム数は、「Ａ・ｂ・Ｃ・ｄ・Ｌ・７」の各普通図柄に対応して設けられている。また、ＷＣ＿ＲＮＤ２（３〜１３）からのランダム数の抽出において、図１８（Ｃ）に示すように、「３」の値が抽出されて当りと判定されると、普通図柄表示器３４にＷＣ＿ＲＮＤ＿Ｆデータの「５」に対応する「７」の当り図柄を表示して普通可変入賞球装置４を所定時間開放（入賞口の拡大）する。一方、ＷＣ＿ＲＮＤ２で「３」以外の値が抽出されて外れと判定されると、ＷＣ＿ＲＮＤ＿Ｆデータの値を抽出し、この値に対応する外れ図柄を普通図柄表示器３４に表示する。なお、ＷＣ＿ＲＮＤ２で外れと判定されたにも関わらずＷＣ＿ＲＮＤ＿Ｆで抽出された値が偶然にも当り図柄となる場合には、「Ａ」の外れ図柄を選択してこれを普通図柄表示器３４に表示するものである。また、上記ＷＣ＿ＲＮＤ２の抽出に伴う当り外れの判定は、図柄の当り確率が通常時のものであり、確率変動時（高確率時）には、ＷＣ＿ＲＮＤ２の「３〜１２」の値が当り決定用の乱数となる。
【００４３】
次に、上記した普通図柄表示器３４での普通図柄の変動動作を図１９のタイムチャートに基づいて説明する。図１９において、通過玉検出器１９（同図中には、普通図柄始動玉検出器と記載）がＯＮすると、これと同時にＷＣ＿ＲＮＤ２の抽出及び格納が行われる。その後、通過玉検出器１９のＯＮから所定時間（０．００２秒）が経過すると、ＷＣ＿ＲＮＤ＿Ｆの抽出を行い、その０．００２秒後に普通図柄の変動を開始する。そして、通過玉検出器１９のＯＮから所定時間（２８．０００秒）後に変動を停止する。なお、図１９に示す※の確率変動時には、普通図柄の変動時間が５．２００秒に短縮される。そして、通常時において停止表示される普通図柄が当り図柄のときには、図２０（Ａ）に示すように、普通図柄が停止してから所定時間（０．００２秒）後に普通可変入賞球装置５を０．５００秒間開放する。その後、通過玉検出器１９への通過記憶がある場合には、普通可変入賞球装置５の閉鎖から０．００２秒後に、ＷＣ＿ＲＮＤ＿Ｆの抽出を行い、その０．００２秒後に再度普通図柄の変動を開始する。また、確率変動時において停止表示される普通図柄が当り図柄のときには、図２０（Ｂ）に示すように、普通図柄が停止してから所定時間（０．００２秒）が経過すると普通可変入賞球装置５を２．２００秒間開放し、３．０００秒のインターバルを置いた後に再度２．２００秒間開放する。その後、通過玉検出器１９への通過記憶がある場合には、普通可変入賞球装置５の閉鎖から０．００２秒後に、ＷＣ＿ＲＮＤ＿Ｆの抽出を行い、その０．００２秒後に再度普通図柄の変動を開始する。
【００４４】
以上のように、本実施形態に係る特別可変表示装置３０は、リーチ２〜８の各種リーチ変動において、図柄の同期配列乃至同期変動する特別図柄表示部３３ａ〜３３ｃの組合せを複数種類設定することで同期変動リーチの多様化を招来しており、ひいては遊技の興趣向上を可能にしている。また、各リーチ３・５・６の変動制御においては、同期変動中に特別図柄表示部３３ａ〜３３ｃの組合せ種類を変更制御し、リーチ８の変動制御においては、同期変動中に同期配列種類を変更制御（同期ポジションＡからＢ、又は同期ポジションＢからＡ）する構成となっており、より一層同期変動リーチの多様化が招来できる。
【００４５】
また、上記した同期ポジションＡ・Ｂを個々に有する同期配列では、それぞれ大当り図柄を導出し得る表示上の確率、言い換えれば表示上の大当り期待度（＝大当り図柄数／全ポジション数）を９／１５及び５／１５と異なって設定しており、さらには確変図柄を導出し得る表示上の確率、言い換えれば表示上の確変期待度（＝確変図柄数／全ポジション数）を２／１５及び３／１５と異なって設定している。このため、全図柄の同期変動リーチ（本実施形態では、リーチ３・６〜８）において、変動時にセットされる同期配列の種類によって表示上の期待感を異ならせることができ、ひいては遊技性の向上を招来するようになっている。また、本実施形態では、上記したように同期ポジションＡを有する同期配列と同期ポジションＢを有する同期配列とに対して、大当り期待度及び確変期待度の高低を逆転して設定している。このため、同期ポジションＡを有する同期配列は大当りし易い一方で確変大当りにはなり難く、同期ポジションＢを有する同期配列は大当りし難い一方で確変大当りにはなり易い印象を遊技者に与えることができ、ひいては同期配列の種類毎に遊技性の特徴を持たせることができる。
【００４６】
なお、上記した実施形態は、本発明を限定するものではなく、本発明の範囲内で種々の変更が可能である。例えば、本実施形態では可変表示装置をＬＣＤ表示器にて構成しているが、特にこれに限定するものではなく、ＣＲＴ、ＬＥＤ、ＶＦＤ、ＥＬ、あるいはプラズマ等の表示器や、ドラム式あるいはベルト式で構成することも可能である。また、弾球遊技機の構成として、始動玉検出器の入賞玉の検出に伴って可変表示装置での識別情報の変動を開始し、該識別情報が所定の表示結果となると特定遊技状態が発生して可変入賞球装置を開放する弾球遊技機（これを俗に第１種という）を例示しているが、特にこれに限定するものではなく、始動玉検出器の入賞玉の検出に伴って可変表示装置での識別情報の変動を開始し、該識別情報が所定の表示結果となると権利発生状態となり、この状態で特定領域に打玉が入賞すると特定遊技状態が発生する弾球遊技機（これを俗に第３種という）であっても良い。また、弾球遊技機全体をＬＣＤ表示器等の表示装置にて構成する、即ち「打玉」「可変入賞球装置」等の構成部材を疑似的に表示器に表示することで弾球遊技機を構成することも可能である。なお、この場合では、賞球の払出しを得点等で代行しても良い。
【００４７】
また、上記した実施形態では、特別図柄及び普通図柄の確変制御を特別遊技状態としているが、これに限定するものではなく、例えば、特別図柄乃至普通図柄に対しての時短制御又は確変制御を特別遊技状態としてもよい。また、電役の開放期間の延長制御、特別図柄乃至普通図柄に対しての始動通過領域の増設制御（例えば、普通入賞口を特別図柄の始動入賞口として設定変更する制御）、賞球数の増加制御（例えば、入賞に伴う賞球を通常時の１３個から１５個に増加する制御）、あるいは所定領域への通過率向上制御（例えば、始動入賞口の上流側に打玉規制装置を設け、該打玉規制装置の作動により始動入賞率を向上する制御）を特別遊技状態としてもよく、さらには前記第３種の弾球遊技機に本発明を適用した場合には、特定領域への入賞率向上制御を特別遊技状態としてもよい。
【００４８】
【発明の効果】
以上、説明したところから明らかなように、本発明の請求項１記載の構成においては、制御手段は、特定表示結果のうち予め定めた特別表示結果が導出されると前記遊技状態とは異なり且つ遊技者にとって有利な特別遊技状態を発生する特別遊技発生手段と、前記複数列の可変表示部のうち少なくとも２列以上の識別情報の組合せを配列させた同期配列パターンを用いて前記特定表示結果となり得る状態で同期的にリーチ変動する同期変動リーチ制御手段と、を備え、前記同期変動リーチ制御手段によって同期変動する前記複数列の可変表示部のうち少なくとも２列以上の識別情報の組合せを配列させた複数種類の前記同期配列パターンを、それぞれ前記特別表示結果が導出される表示上の確率を異ならせて設定したので、同期変動リーチの多様化を招来することができ、ひいては遊技の興趣向上が可能になる。
【図面の簡単な説明】
【図１】  本発明の一実施形態における遊技盤を示す正面図である。
【図２】  遊技動作を制御する制御回路を示すブロック図の一部である。
【図３】  遊技動作を制御する制御回路を示すブロック図の一部である。
【図４】  左・中・右の各特別図柄の種類を示す一覧表図である。
【図５】  同図（Ａ）は特別図柄に用いられる各種ランダム数を示す一覧表図であり、同図（Ｂ）は選択されたランダム数によって特別図柄の当り外れを決定する動作を説明するための簡単なフローチャートである。
【図６】  同図（Ａ）〜（Ｄ）はそれぞれリーチの変動態様を示す説明図である。
【図７】  同期ポジションＡを示す説明図である。
【図８】  同期ポジションＢを示す説明図である。
【図９】  ＷＣＲＮＤ＿ＡＣＴの抽出に基づく各種リーチの選択設定を示す一覧表図である。
【図１０】  同図（Ａ）は特別図柄の変動パターンを示す一覧表図であり、同図（Ｂ）は※１〜５を示す一覧表図である。
【図１１】  リーチ以外及びリーチ１での図柄の変動動作を示すタイムチャートである。
【図１２】  各リーチ２・３での図柄の変動動作を示すタイムチャートである。
【図１３】  各リーチ４〜６での図柄の変動動作を示すタイムチャートである。
【図１４】  各リーチ７・８での図柄の変動動作を示すタイムチャートである。
【図１５】  確変図柄の導出に伴う確変動作を示すタイムチャートである。
【図１６】  特定遊技状態における特別可変入賞球装置の開放動作を示すタイムチャートである。
【図１７】  同図（Ａ）は特定遊技状態の終了後に特別図柄記憶表示ＬＥＤに記憶がある場合での特別図柄の変動動作を示すタイムチャートであり、同図（Ｂ）は特別図柄の変動停止後に特別図柄記憶表示ＬＥＤに記憶がある場合での特別図柄の変動動作を示すタイムチャートである。
【図１８】  同図（Ａ）は普通図柄に用いられる各種ランダム数の一覧表図であり、同図（Ｂ）は普通図柄の種類を示す説明図であり、同図（Ｃ）は選択されたランダム数によって普通図柄の当り外れを決定する動作を説明するための簡単なフローチャートである。
【図１９】  普通図柄の始動検出に伴って普通図柄が変動する動作を示すタイムチャートである。
【図２０】  同図（Ａ）は通常時に普通図柄が当ることに伴って普通可変入賞球装置が開放する動作を示すタイムチャートであり、同図（Ｂ）は確率変動時に普通図柄が当ることに伴って普通可変入賞球装置が開放する動作を示すタイムチャートである。
【符号の説明】
１  遊技盤
３  遊技領域
５  普通可変入賞球装置
８  始動玉検出器
９  特別可変入賞球装置
１２  特定玉検出器
１３  入賞玉検出器
１９  通過玉検出器
３０  特別可変表示装置
３３ａ〜３３ｃ  特別図柄表示部
３４  普通図柄表示器
３５  普通図柄記憶表示ＬＥＤ
３６  特別図柄記憶表示ＬＥＤ
４２  基本回路
【図１】
0004093603.tif 000002
【図２】
0004093603.tif 000003
【図３】
0004093603.tif 000004
【図４】
0004093603.tif 000005
【図５】
0004093603.tif 000006
【図６】
0004093603.tif 000007
【図７】
0004093603.tif 000008
【図８】
0004093603.tif 000009
【図９】
0004093603.tif 000010
【図１０】
0004093603.tif 000011
【図１１】
0004093603.tif 000012
【図１２】
0004093603.tif 000013
【図１３】
0004093603.tif 000014
【図１４】
0004093603.tif 000015
【図１５】
0004093603.tif 000016
【図１６】
0004093603.tif 000017
【図１７】
0004093603.tif 000018
【図１８】
0004093603.tif 000019
【図１９】
0004093603.tif 000020
【図２０】
0004093603.tif 000021